(57)【特許請求の範囲】
【請求項１】
顧客が用いる顧客端末と、生産者が用いるサーバ機とがネットワークを介して送受信可能に接続されたシステムであって、
・サーバ機は、各部の制御やデータの配信、演算、データの一次的な格納を行う制御手段、プログラムファイル、パーツ情報ファイル、及び顧客情報ファイルを記憶する記憶手段、入力手段、並びに出力手段から構成され、
・プログラムファイルには、情報の送信、電子メールの送信、「人気数の比較」、改良パーツのリスト表示・リスト順の変更、顧客情報から顧客のメールアドレスを特定し記憶するもの、並びに日付計算の作成・掲載といった処理を行う各実行プログラムが記憶され、
・パーツ情報ファイルには、釣具の改良パーツに関し、販売が行なわれる改良パーツの名称や改良パーツの生産を開始する予定日を定めた生産予定日、その人気数を含むパーツ情報が改良パーツ毎に記憶され、
・顧客情報ファイルには、顧客を特定して改良パーツを配送するために必要な、少なくとも顧客の電子メールアドレス、改良パーツの購入希望情報、購入方式を含む情報が記憶され、
・顧客端末は、サーバ機から受信した「パーツ情報」を表示する手段と、顧客が購入を希望する改良パーツを特定する手段と、特定された改良パーツについての、顧客が購入を希望する改良パーツを特定する情報、購入希望数が含まれる「購入希望情報」と、顧客を特定する顧客情報をサーバ機に送信する手段を有してなり、
・サーバ機が、顧客端末からのアクセスに対して、釣具の改良パーツに関する「パーツ情報」を、パーツ情報ファイルから読み出して顧客端末に送信することで、顧客端末が、前記送信された「パーツ情報」を受信し、顧客が購入を希望する改良パーツを特定する情報及び購入を希望する数である購入希望数を含む「購入希望情報」の入力を促して表示し、
・顧客端末は、顧客が購入を希望する改良パーツを特定する情報及び購入を希望する数である購入希望数を含む入力された購入希望情報と、前記購入を希望する顧客を特定する顧客情報とを、あわせてサーバ機に送信することで、サーバ機は、顧客端末から送信された購入希望情報と顧客情報とを共に受信し、
・そして、購入希望情報を受信したサーバ機の制御手段は、
購入希望情報で特定された購入を希望する改良パーツの情報と、あわせて送信された顧客情報で特定された顧客の情報とを、
どの顧客がどの改良パーツを望んでいるか把握可能なように、購入希望情報と顧客情報とを対応させて、顧客情報ファイルに記憶し、
購入希望情報に含まれる特定された改良パーツの情報と共通するパーツ情報を読み込むことで、購入希望情報とパーツ情報とを対応させ、
パーツ情報から、購入希望情報が送られてきた改良パーツのこれまでの購入希望情報の数を示す「これまでの人気数」を抽出し、この抽出した「人気数」に、今回受信した購入希望情報に含まれる購入希望数の値だけ人気数を増加させて、その数を「新しい人気数」として記憶手段のパーツ情報ファイルに記憶することで、どの改良パーツにどれだけの購入希望情報が集まったのかを集計し、各改良パーツの購入希望情報の数を示す「人気数」を各改良パーツ毎に求めることで、変更されたパーツ情報を作成して、これを顧客端末へ送信し、
・顧客端末は、パーツ情報に含まれる各改良パーツの名称と、生産予定日と、人気数とをともに、生産予定日の日付の早い順に上位から並べてリスト表示するものであって、
制御手段は、「新しい人気数」を記憶手段のパーツ情報ファイルに記憶したのち、
・前記記憶のたびに、「パーツ情報ファイル」における各パーツ情報の記憶順を、生産予定日の早いものを上の位置として生産予定日順に並べ替え、
・この並べ替えたパーツ情報ファイルにおいて、今回受信した購入希望情報に含まれる顧客が購入を希望する改良パーツより生産予定日が早く、しかもその日が近いものであって生産予定日の日付の早い順のリスト表示のときにひとつ上の位置にくるものを、一つ上のランクの改良パーツとして、この一つ上のランクの改良パーツの人気数を記憶手段のパーツ情報ファイルから抽出し、抽出した改良パーツの人気数と、今回受信した顧客が購入を希望する改良パーツの人気数とを比較して、
・今回受信した顧客が購入を希望する改良パーツの人気数が、抽出した改良パーツの人気数を超えているときには、
今回受信した顧客が購入を希望する改良パーツの生産予定日を抽出した改良パーツの生産予定日に変更するとともに、抽出した改良パーツの生産予定日を今回受信した顧客が購入を希望する改良パーツの生産予定日と変更することで、互いの生産予定日を入れ替えて、今回受信した顧客が購入を希望する改良パーツのリスト上の生産予定日の日付け順のランクを、抽出した改良パーツに対して昇順する処理を行うことで、人気数に応じて生産予定日を変更し、改良パーツのリスト順を変更することを特徴とする釣具の改良パーツのインターネット受注システム。
【請求項２】
顧客が用いる顧客端末と、生産者が用いるサーバ機とがネットワークを介して送受信可能に接続されたシステムであって、
サーバ機は、各部の制御やデータの配信、演算、データの一次的な格納を行う制御手段、プログラムファイル、パーツ情報ファイル、及び顧客情報ファイルを記憶する記憶手段、入力手段、並びに出力手段から構成され、
プログラムファイルには、情報の送信、電子メールの送信、「人気数の比較」、改良パーツのリスト表示・リスト順の変更、顧客情報から顧客のメールアドレスを特定し記憶するもの、並びに日付計算の作成・掲載といった処理を行う各実行プログラムが記憶され、
パーツ情報ファイルには、販売が行なわれる改良パーツの名称や改良パーツの生産を開始する予定日を定めた生産予定日、その人気数、レベル数を含むパーツ情報が改良パーツ毎に記憶され、
顧客情報ファイルには、顧客を特定し、改良パーツを配送するために必要な情報が記憶され、
顧客端末は、サーバ機から受信した「パーツ情報」を表示する手段と、顧客が購入を希望する改良パーツを特定する手段と、特定された改良パーツについての、顧客が購入を希望する改良パーツを特定する情報、購入希望数が含まれる「購入希望情報」と、顧客を特定する顧客情報をサーバ機に送信する手段を有してなり、
・サーバ機が、顧客端末からのアクセスに対して、釣具の改良パーツに関する「パーツ情報」を顧客端末に送信することで、顧客端末が、前記送信された「パーツ情報」を受信し、顧客が購入を希望する改良パーツを特定する「購入希望情報」の入力を促して表示し、
・顧客端末は、顧客が購入を希望する改良パーツの特定及び購入を希望する数である購入希望数を含む入力された購入希望情報と、前記購入を希望する顧客を特定する顧客情報とを、あわせてサーバ機に送信することで、サーバ機は、顧客端末から送信された購入希望情報と顧客情報とを共に受信し、
・そして、購入希望情報を受信したサーバ機の制御手段は、
購入希望情報で特定された購入を希望する改良パーツの情報と、あわせて送信された顧客情報で特定された顧客の情報とを対応させ、この対応させた購入希望情報と顧客情報を、どの顧客がどの改良パーツを望んでいるか把握可能にして記憶手段に記憶し、
購入希望情報に含まれる特定された改良パーツの情報と共通するパーツ情報を読み込むことで、購入希望情報とパーツ情報とを対応させ、
パーツ情報から、購入希望情報が送られてきた改良パーツのこれまでの購入希望情報の数を示す「これまでの人気数」を抽出し、この抽出した「人気数」に、今回受信した購入希望情報に含まれる購入希望数の値だけ人気数を増加させて、その数を「新しい人気数」として記憶手段に記憶することで、どの改良パーツにどれだけの購入希望情報が集まったのかを集計し、各改良パーツの購入希望情報の数を示す「人気数」を各改良パーツ毎に求めることで、変更されたパーツ情報を作成して、これを顧客端末へ送信し、
・顧客端末は、パーツ情報に含まれる各改良パーツの名称と、改良パーツごとの説明と、一旦定められた生産予定日と、人気数と、レベル数とをともに、生産予定日の日付の早い順に上位から並べてリスト表示するものであって、
・記憶手段の記憶するパーツ情報は、生産日を早める目安として人気数の閾値を改良パーツ毎に予め設定した一又は/複数/の「レベル数」を含んでおり、
制御手段は、「新しい人気数」を記憶手段のパーツ情報ファイルに記憶したのち、
・前記記憶のたびに、「パーツ情報ファイル」における各パーツ情報の記憶順を、生産予定日の早いものを上の位置として生産予定日順に並べ替えると共に、
・当該改良パーツの一の「レベル数」または複数のうち一番値が近い「レベル数」を記憶手段から抽出し、記憶した新しい人気数と抽出した「レベル数」とを比較して、
・新しい人気数が抽出した「レベル数」を超えたときには、
今回受信した購入希望情報に含まれる顧客が購入を希望する改良パーツより生産予定日が早く、しかもその日が近いものであって生産予定日の日付の早い順のリスト表示のときにひとつ上の位置にくるものを、一つ上のランクの改良パーツとして、この一つ上のランクの改良パーツの生産予定日を抽出し、
今回受信した顧客が購入を希望する改良パーツの生産予定日を、一つ上のランクの改良パーツの生産予定日に変更するとともに、この一つ上のランクの改良パーツの生産予定日を今回受信した顧客が購入を希望する改良パーツの生産予定日と変更することで、互いの生産予定日を入れ替えて、今回受信した顧客が購入を希望する改良パーツを一つ上のランクの改良パーツに対して生産予定日の日付け順のランクを昇順する処理を行うことで、人気数とレベル数の比較に応じて生産予定日を変更し、改良パーツのリスト順を変更する
ことを特徴とする釣具の改良パーツのインターネット受注システム。
【請求項３】
顧客が用いる顧客端末と、生産者が用いるサーバ機とがネットワークを介して送受信可能に接続されたシステムであって、
サーバ機は、各部の制御やデータの配信、演算、データの一次的な格納を行う制御手段、プログラムファイル、パーツ情報ファイル、及び顧客情報ファイルを記憶する記憶手段、入力手段、並びに出力手段から構成され、
プログラムファイルには、情報の送信、電子メールの送信、「人気数の比較」、改良パーツのリスト表示・リスト順の変更、顧客情報から顧客のメールアドレスを特定し記憶するもの、並びに日付計算の作成・掲載といった処理を行う各実行プログラムが記憶され、
パーツ情報ファイルには、販売が行なわれる改良パーツの名称や改良パーツの生産を開始する予定日を定めた生産予定日、その人気数、生産開始数、レベル数を含むパーツ情報が改良パーツ毎に記憶され、
顧客情報ファイルには、顧客を特定し、改良パーツを配送するために必要な情報が記憶され、
顧客端末は、サーバ機から受信した「パーツ情報」を表示する手段と、顧客が購入を希望する改良パーツを特定する手段と、特定された改良パーツについての、顧客が購入を希望する改良パーツを特定する情報、購入希望数が含まれる「購入希望情報」と、顧客を特定する顧客情報をサーバ機に送信する手段を有してなり、
・サーバ機が、顧客端末からのアクセスに対して、釣具の改良パーツに関する「パーツ情報」を顧客端末に送信することで、顧客端末が、前記送信された「パーツ情報」を受信し、顧客が購入を希望する改良パーツを特定する「購入希望情報」の入力を促して表示し、
・顧客端末は、顧客が購入を希望する改良パーツの特定及び購入を希望する数である購入希望数を含む入力された購入希望情報と、前記購入を希望する顧客を特定する顧客名、住所、メールアドレスといった顧客情報とを、あわせてサーバ機に送信することで、サーバ機は、顧客端末から送信された購入希望情報と顧客情報とをあわせて受信し、
・そして、購入希望情報を受信したサーバ機の制御手段は、
購入希望情報で特定された購入を希望する改良パーツの名称と、あわせて送信された顧客情報で特定された顧客の情報とを対応させ、この対応させた購入希望情報と顧客情報を、どの顧客がどの改良パーツを望んでいるか把握可能にして記憶手段に記憶し、
購入希望情報に含まれる特定された改良パーツの名称と共通する、パーツ情報中の改良パーツの名称を含む情報を読み込むことで、購入希望情報とパーツ情報とを対応させ、
パーツ情報から、購入希望情報が送られてきた改良パーツのこれまでの購入希望情報の数を示す「これまでの人気数」を抽出し、この抽出した「人気数」に、今回受信した購入希望情報に含まれる購入希望数の値だけ人気数を増加させて、その数を「新しい人気数」として記憶手段に記憶することで、どの改良パーツにどれだけの購入希望情報が集まったのかを集計し、各改良パーツの購入希望情報の数を示す「人気数」を各改良パーツ毎に求めることで、変更されたパーツ情報を作成して、これを顧客端末へ送信し、
・顧客端末は、パーツ情報に含まれる各改良パーツの名称と、改良パーツごとの説明と、一旦定められた生産予定日と、価格と、人気数と、レベル数と、生産開始数とをともに、生産予定日の日付の早い順に上位から並べてリスト表示するものであって、
・記憶手段の記憶するパーツ情報は、生産を開始するかどうかを決定する人気数の閾値を改良パーツ毎に予め設定した「生産開始数」を含むと共に、
生産日を早める目安として人気数の閾値を改良パーツ毎に予め設定した「レベル数」を含んでおり、
制御手段は、「新しい人気数」を記憶手段に記憶したのち、
制御手段は、改良パーツの「レベル数」及び「生産開始数」を記憶手段から抽出し、
・新しい人気数と、抽出した「生産開始数」とを比較して、
新しい人気数が生産開始数を超えている場合は、「生産開始の旨」をパーツ情報として記憶し、それ以降パーツ情報にアクセスする顧客端末には、生産開始数を超えた改良パーツについては生産を開始した旨を表示させる処理を行い、
・また、人気数が生産開始数を超えていない場合は、前記新しい人気数と、前記抽出したレベル数とを比較して、
新しい人気数が人気数が生産開始数を超えておらずかつ抽出した「レベル数」を超えたときには、
今回受信した購入希望情報に含まれる顧客が購入を希望する改良パーツより生産予定日が早く、しかもその日が近いものであって生産予定日の日付の早い順のリスト表示のときにひとつ上の位置にくるものを、一つ上のランクの改良パーツとして、この一つ上のランクの改良パーツの生産予定日を抽出し、
今回受信した顧客が購入を希望する改良パーツの生産予定日を、一つ上のランクの改良パーツの生産予定日に変更するとともに、この一つ上のランクの改良パーツの生産予定日を今回受信した顧客が購入を希望する改良パーツの生産予定日と変更することで、互いの生産予定日を入れ替えて、今回受信した顧客が購入を希望する改良パーツを一つ上のランクの改良パーツに対して生産予定日の日付け順のランクを昇順する処理を行うことで、人気数に応じて「レベル数」を用いて生産予定日を変更し、改良パーツのリスト順を変更することを特徴とする釣具の改良パーツのインターネット受注システム。
【請求項４】
レベル数は「％表示」をもって定められ、
生産開始数に％表示のレベル数を乗じた値を、レベル数を超えるための人気数の閾値とし、
人気数が、生産開始数に％表示のレベル数を乗じた値を超えたときに、一つ上のランクの改良パーツの生産予定日と入れ替えて、今回受信した顧客が購入を希望する改良パーツを一つ上のランクの改良パーツに対して生産予定日の日付け順のランクを昇順する処理を行う請求項２または３のいずれか記載の釣具の改良パーツのインターネット受注システム。
【請求項５】
一つの改良パーツに第一、第二・・・の複数のレベル数が記憶されているものであって、
サーバ機の制御手段は、
記憶された複数のレベル数のうち値の小さい第一のレベル数を読み込み、
前記第一のレベル数と人気数とを比較して、
人気数が前記第一のレベル数を超えた場合、人気数に超えられた第一のレベル数を消去し、それ以降、読み出されるレベル数は、次番目に小さな第二・・・のレベル数となり、
制御手段は、改良パーツの当該第二・・・の「レベル数」を記憶手段から抽出し、
・新しい人気数と、抽出した「レベル数」とを比較するものである請求項２ないし４のいずれかに記載の釣具の改良パーツのインターネット受注システム。
【請求項６】
サーバ機は、前記新しい人気数と抽出した生産開始数とを比較して、人気数が生産開始数を超えている場合は、生産開始の旨をパーツ情報に記憶させると共に、この改良パーツの裏販売サイトを作成し、その後、裏販売サイトをインターネットに掲載し、裏販売サイトのインターネットの掲載から一定期間後に、この裏販売サイトの検索用のキーワードを、各検索サイトに登録することで、裏販売サイトをインターネット上に公表する請求項３ないし４のいずれかに記載の釣具の改良パーツのインターネット受注システム。
【請求項７】
サーバ機は、顧客の入力によって、顧客のメールアドレスを顧客情報ファイルに記憶し、
顧客端末は、パーツ情報の表示において、
購入希望情報の入力を促す手段として、購入意欲が比較的強い場合の「絶対購入」と、購入意欲が比較的弱い場合の「購入希望」との二つからなる購入選択手段を設けてなり、
サーバ機は、購入選択手段における「絶対購入」或いは「購入希望」の入力に応じて以下の処理を行なう請求項６に記載の釣具の改良パーツのインターネット受注システム。
・購入選択手段において「絶対購入」が入力された場合は、改良パーツが生産されて販売が開始されるときに改良パーツを配送する旨の情報を顧客情報ファイルに記憶させる。
・購入選択手段において「購入希望」が入力された場合は、改良パーツの生産時にあわせて、サーバ機は、顧客情報ファイルに記憶された顧客のメールアドレスを特定し、「裏販売サイト」のＵＲＬを含む電子メールをこの顧客のメールアドレスに送信する。
【発明の詳細な説明】
【０００１】
【発明の属する技術分野】
この発明は、インターネットを用いた釣具の改良パーツの受注システム、このシステムを実施するためのサーバ機、及び改良パーツの販売方法に関するものである。
【０００２】
【従来の技術】
▲１▼  これまで、故障した部品や摩耗した部品の取り替えなどの消耗部品は一般的に「補修部品」と呼ばれ、これらは使用者の使用状況やメンテナンス頻度などにより若干の摩耗の度合いは変化するが、リールに使用される、ピニオンギヤ、マスターギヤなどは、3〜5年の期間で摩耗する事が知れている。よって、メーカーは、リールなどの販売数から、補修部品の供給必要開始時期や、その数量等を推測することができた。更に、メーカーはそのような補修部品の供給を消費者が出来るだけ必要としなくなる様、各種のメンテナンス用製品、例えば、リール専用オイルやグリスなども供給している。
【０００３】
また、一方で、メーカーは、より摩耗し難いギヤや、ガタの発生し難いスライド部、錆などに強い部品等を採用することにより、消費者が出来るだけ補修部品を必要としない体制を築く努力も行っている。このように、メーカーは、常に、基本性能の高い、リーズナブルな製品を供給しようと考えている。
【０００４】
▲２▼  しかし、ユーザーの中には、さらに上の性能を求める場合、軽量化であるとか、高剛性であるとか、耐摩耗性などや、又人と違う外観に仕上げたい、カスタム化したい、といった要望を持つ場合があり、これらの目的で交換される部品に関して、その需要予測を行う事は困難である。なぜなら、製品として性能に問題がなければ、釣り人は敢えて部品を取り替える必要がないからである。
【０００５】
▲３▼  このような性能の向上や、カスタム化を求める「改良パーツ」への需要は多様化しているもののその需要数は少ない。特に釣具の改良パーツは、各自の釣り方、対象とする魚によって求められる形状が異なるため、改良パーツの種類は膨大になる。
【０００６】
なお、この発明における「改良パーツ」とは、取替え可能な部品を意味するが、前記した故障した部品や磨耗した部品を取替える「補修部品」などではなく、純粋に釣具の性能の向上を目的として取替る部品を意味する。
【０００７】
▲４▼ そのため、販売店にとっては、このような改良パーツの販売予測は困難であり、仕入れた場合に不良在庫となる可能性が高く、仕入れにリスクを負っていた。
【０００８】
一方、改良パーツが欲しいと思った釣り人（顧客）にとっては、販売店が希望する改良パーツを仕入れていないことが多く、必要とするときに直ぐに購入できなかった。また、購入の際には販売店に出向いて注文し、後日、受け取るといった手続が行われていたため、顧客にとって不便であった。
【０００９】
▲５▼  また、このような多様化する改良パーツに対するニーズに応える観点からは、メーカは受注生産を行うのが望ましいといえる。しかし、釣り人のニーズを集計し、また、顧客を管理することは困難であった。
【００１０】
▲６▼  なお、会員制度を有している生産者は、改良パーツの受注生産を行うにあたり、一般顧客よりも会員に優先的にサービスを提供する必要があった。
【００１１】
【発明が解決しようとする課題】
▲１▼  そこで、この発明は、顧客が容易に改良パーツの発注を行えるようにすることである。また、改良パーツの販売に関して販売店の仕入れのリスクを回避することも課題とする。
【００１２】
▲２▼  更に、改良パーツを受注生産する場合の、受注数の集計、顧客管理を容易に行うことも課題とする。特に、顧客に人気のある「改良パーツ」の生産を迅速に行うシステムを提供することを目的とするものである。
【００１３】
【課題を解決するための手段及びその効果】
そこでこの発明は以下（ｉ）ないし（ｖｉｉｉ）の手段を講じている。
（ｉ）この発明の釣具の改良パーツのインターネット受注システムは、顧客が用いる顧客端末と、生産者が用いるサーバ機とがネットワークを介して送受信可能に接続されたシステムである。
顧客が用いる顧客端末と、生産者が用いるサーバ機とがネットワークを介して送受信可能に接続されたシステムであって、
・サーバ機は、各部の制御やデータの配信、演算、データの一次的な格納を行う制御手段と、プログラムファイル、パーツ情報ファイル、及び顧客情報ファイルを記憶する記憶手段と、入力手段と、出力手段とから構成され、
・プログラムファイルには、情報の送信、電子メールの送信、人気数の比較、改良パーツのリスト表示・リスト順の変更、顧客情報から顧客のメールアドレスを特定し記憶するもの、並びに日付計算の作成・掲載といった処理を行う各実行プログラムが記憶され、
・パーツ情報ファイルには、釣具の改良パーツに関し、販売が行なわれる改良パーツの名称や改良パーツの生産を開始する予定日を定めた生産予定日、その人気数を含むパーツ情報が改良パーツ毎に記憶され、
・顧客情報ファイルには、顧客を特定し、改良パーツを配送するために必要な情報が記憶され、
・顧客端末は、サーバ機から受信したパーツ情報を表示する手段と、顧客が購入を希望する改良パーツを特定する手段と、特定された改良パーツについての、顧客が購入を希望する改良パーツを特定する情報、購入希望数が含まれる購入希望情報と、顧客を特定する顧客情報とをサーバ機に送信する手段を有してなる。そして以下を特徴とするものである。
・サーバ機が、顧客端末からのアクセスに対して、釣具の改良パーツに関する「パーツ情報」を顧客端末に送信することで、顧客端末が、前記送信された「パーツ情報」を受信し、顧客が購入を希望する改良パーツを特定する「購入希望情報」の入力を促して表示し、
・顧客端末は、顧客が購入を希望する改良パーツの特定及び購入を希望する数である購入希望数を含む入力された購入希望情報と、前記購入を希望する顧客を特定する顧客情報とを、あわせてサーバ機に送信することで、サーバ機は、顧客端末から送信された購入希望情報と顧客情報とを共に受信し、
・そして、購入希望情報を受信したサーバ機の制御手段は、
購入希望情報で特定された購入を希望する改良パーツの情報と、あわせて送信された顧客情報で特定された顧客の情報とを対応させて、この対応させた購入希望情報と顧客情報を、どの顧客がどの改良パーツを望んでいるか把握可能にして、記憶手段に記憶し、
購入希望情報に含まれる特定された改良パーツの情報と共通するパーツ情報を読み込むことで、購入希望情報とパーツ情報とを対応させ、
パーツ情報から、購入希望情報が送られてきた改良パーツのこれまでの購入希望情報の数を示すこれまでの「人気数」を抽出し、この抽出したこれまでの「人気数」に、今回受信した購入希望情報に含まれる購入希望数の値だけ人気数を増加させて、その数を新しい「人気数」として記憶手段に記憶することで、どの改良パーツにどれだけの購入希望情報が集まったのかを集計し、各改良パーツの購入希望情報の数を示す「人気数」を各改良パーツ毎に求めることで、変更されたパーツ情報を作成して、これを顧客端末へ送信し、
・顧客端末は、パーツ情報に含まれる各改良パーツの名称と、生産予定日と、人気数とをともに、生産予定日の日付の早い順に上位から並べてリスト表示するものであって、
制御手段は、「新しい人気数」を記憶手段に記憶したのち、
・今回受信した購入希望情報に含まれる顧客が購入を希望する改良パーツより生産予定日が早く、しかもその日が近いものであって生産予定日の日付の早い順のリスト表示のときにひとつ上の位置にくるものを、一つ上のランクの改良パーツとして、この一つ上のランクの改良パーツの人気数を記憶手段から抽出し、抽出した改良パーツの人気数と、今回受信した顧客が購入を希望する改良パーツの人気数とを比較して、
・今回受信した顧客が購入を希望する改良パーツの人気数が、抽出した改良パーツの人気数を超えているときには、
今回受信した顧客が購入を希望する改良パーツの生産予定日を抽出した改良パーツの生産予定日に変更するとともに、抽出した改良パーツの生産予定日を今回受信した顧客が購入を希望する改良パーツの生産予定日と変更することで、互いの生産予定日を入れ替えて、今回受信した顧客が購入を希望する改良パーツのリスト上の生産予定日の日付け順のランクを、抽出した改良パーツに対して昇順する処理を行うことで、人気数に応じて生産予定日を変更し、改良パーツのリスト順を変更することを特徴とする。
（ｉｉ）また、この発明の釣具の改良パーツのインターネット受注システムは、
顧客が用いる顧客端末と、生産者が用いるサーバ機とがネットワークを介して送受信可能に接続されたシステムであって、
サーバ機は、各部の制御やデータの配信、演算、データの一次的な格納を行う制御手段、プログラムファイル、パーツ情報ファイル、及び顧客情報ファイルを記憶する記憶手段、入力手段、並びに出力手段から構成され、
プログラムファイルには、情報の送信、電子メールの送信、改良パーツのリスト表示・リスト順の変更、顧客情報から顧客のメールアドレスを特定し記憶するもの、並びに日付計算の作成・掲載といった処理を行う各実行プログラムが記憶され、
パーツ情報ファイルには、販売が行なわれる改良パーツの名称や改良パーツの生産を開始する予定日を定めた生産予定日、その人気数、レベル数を含むパーツ情報が改良パーツ毎に記憶され、
顧客情報ファイルには、顧客を特定し、改良パーツを配送するために必要な情報が記憶され、
顧客端末は、サーバ機から受信した「パーツ情報」を表示する手段と、顧客が購入を希望する改良パーツを特定する手段と、特定された改良パーツについての、顧客が購入を希望する改良パーツを特定する情報、購入希望数が含まれる「購入希望情報」と、顧客を特定する顧客情報をサーバ機に送信する手段を有してなるものとしてもよい。但し以下を特徴とするものである。
・サーバ機が、顧客端末からのアクセスに対して、釣具の改良パーツに関する「パーツ情報」を顧客端末に送信することで、顧客端末が、前記送信された「パーツ情報」を受信し、顧客が購入を希望する改良パーツを特定する「購入希望情報」の入力を促して表示し、
・顧客端末は、顧客が購入を希望する改良パーツの特定及び購入を希望する数である購入希望数を含む入力された購入希望情報と、前記購入を希望する顧客を特定する顧客情報とを、あわせてサーバ機に送信することで、サーバ機は、顧客端末から送信された購入希望情報と顧客情報とを共に受信し、
・そして、購入希望情報を受信したサーバ機の制御手段は、
購入希望情報で特定された購入を希望する改良パーツの情報と、あわせて送信された顧客情報で特定された顧客の情報とを対応させ、この対応させた購入希望情報と顧客情報を、どの顧客がどの改良パーツを望んでいるか把握可能にして記憶手段に記憶し、
購入希望情報に含まれる特定された改良パーツの情報と共通するパーツ情報を読み込むことで、購入希望情報とパーツ情報とを対応させ、
パーツ情報から、購入希望情報が送られてきた改良パーツのこれまでの購入希望情報の数を示す「これまでの人気数」を抽出し、この抽出した「人気数」に、今回受信した購入希望情報に含まれる購入希望数の値だけ人気数を増加させて、その数を「新しい人気数」として記憶手段に記憶することで、どの改良パーツにどれだけの購入希望情報が集まったのかを集計し、各改良パーツの購入希望情報の数を示す「人気数」を各改良パーツ毎に求めることで、変更されたパーツ情報を作成して、これを顧客端末へ送信し、
・顧客端末は、パーツ情報に含まれる各改良パーツの名称と、改良パーツごとの説明と、一旦定められた生産予定日と、人気数と、レベル数とをともに、生産予定日の日付の早い順に上位から並べてリスト表示するものであって、
・記憶手段の記憶するパーツ情報は、生産日を早める目安として人気数の閾値を改良パーツ毎に予め設定した一又は/複数/の「レベル数」を含んでおり、
制御手段は、「新しい人気数」を記憶手段に記憶したのち、
制御手段は、改良パーツの「レベル数」を記憶手段から抽出し、
記憶した新しい人気数と抽出した「レベル数」とを比較して、
・新しい人気数が抽出した「レベル数」を超えたときには、
今回受信した購入希望情報に含まれる顧客が購入を希望する改良パーツより生産予定日が早く、しかもその日が近いものであって生産予定日の日付の早い順のリスト表示のときにひとつ上の位置にくるものを、一つ上のランクの改良パーツとして、この一つ上のランクの改良パーツの生産予定日を抽出し、
今回受信した顧客が購入を希望する改良パーツの生産予定日を、一つ上のランクの改良パーツの生産予定日に変更するとともに、この一つ上のランクの改良パーツの生産予定日を今回受信した顧客が購入を希望する改良パーツの生産予定日と変更することで、互いの生産予定日を入れ替えて、今回受信した顧客が購入を希望する改良パーツを一つ上のランクの改良パーツに対して生産予定日の日付け順のランクを昇順する処理を行うことで、人気数とレベル数の比較に応じて生産予定日を変更し、改良パーツのリスト順を変更する
ことを特徴とする。
（ｉｉｉ）また、この発明の釣具の改良パーツのインターネット受注システムは、
顧客が用いる顧客端末と、生産者が用いるサーバ機とがネットワークを介して送受信可能に接続されたシステムであって、
サーバ機は、各部の制御やデータの配信、演算、データの一次的な格納を行う制御手段、プログラムファイル、パーツ情報ファイル、及び顧客情報ファイルを記憶する記憶手段、入力手段、並びに出力手段から構成され、
プログラムファイルには、情報の送信、電子メールの送信、「人気数の比較」、改良パーツのリスト表示・リスト順の変更、顧客情報から顧客のメールアドレスを特定し記憶するもの、並びに日付計算の作成・掲載といった処理を行う各実行プログラムが記憶され、
パーツ情報ファイルには、販売が行なわれる改良パーツの名称や改良パーツの生産を開始する予定日を定めた生産予定日、その人気数、生産開始数、レベル数を含むパーツ情報が改良パーツ毎に記憶され、
顧客情報ファイルには、顧客を特定し、改良パーツを配送するために必要な情報が記憶され、
顧客端末は、サーバ機から受信した「パーツ情報」を表示する手段と、顧客が購入を希望する改良パーツを特定する手段と、特定された改良パーツについての、顧客が購入を希望する改良パーツを特定する情報、購入希望数が含まれる「購入希望情報」と、顧客を特定する顧客情報をサーバ機に送信する手段を有してなるものとしてもよい。但し以下を特徴とするものである。
・サーバ機が、顧客端末からのアクセスに対して、釣具の改良パーツに関する「パーツ情報」を顧客端末に送信することで、顧客端末が、前記送信された「パーツ情報」を受信し、顧客が購入を希望する改良パーツを特定する「購入希望情報」の入力を促して表示し、
・顧客端末は、顧客が購入を希望する改良パーツの特定及び購入を希望する数である購入希望数を含む入力された購入希望情報と、前記購入を希望する顧客を特定する顧客名、住所、メールアドレスといった顧客情報とを、あわせてサーバ機に送信することで、サーバ機は、顧客端末から送信された購入希望情報と顧客情報とをあわせて受信し、
・そして、購入希望情報を受信したサーバ機の制御手段は、
購入希望情報で特定された購入を希望する改良パーツの名称と、あわせて送信された顧客情報で特定された顧客の情報とを対応させ、この対応させた購入希望情報と顧客情報を、どの顧客がどの改良パーツを望んでいるか把握可能にして記憶手段に記憶し、
購入希望情報に含まれる特定された改良パーツの名称と共通する、パーツ情報中の改良パーツの名称を含む情報を読み込むことで、購入希望情報とパーツ情報とを対応させ、
パーツ情報から、購入希望情報が送られてきた改良パーツのこれまでの購入希望情報の数を示す「これまでの人気数」を抽出し、この抽出した「人気数」に、今回受信した購入希望情報に含まれる購入希望数の値だけ人気数を増加させて、その数を「新しい人気数」として記憶手段に記憶することで、どの改良パーツにどれだけの購入希望情報が集まったのかを集計し、各改良パーツの購入希望情報の数を示す「人気数」を各改良パーツ毎に求めることで、変更されたパーツ情報を作成して、これを顧客端末へ送信し、
・顧客端末は、パーツ情報に含まれる各改良パーツの名称と、改良パーツごとの説明と、一旦定められた生産予定日と、価格と、人気数と、レベル数と、生産開始数とをともに、生産予定日の日付の早い順に上位から並べてリスト表示するものであって、
・記憶手段の記憶するパーツ情報は、生産を開始するかどうかを決定する人気数の閾値を改良パーツ毎に予め設定した「生産開始数」を含むと共に、
生産日を早める目安として人気数の閾値を改良パーツ毎に予め設定した一又は/複数/の「レベル数」を含んでおり、
制御手段は、「新しい人気数」を記憶手段に記憶したのち、
制御手段は、改良パーツの「レベル数」及び「生産開始数」を記憶手段から抽出し、
・新しい人気数と、抽出した「生産開始数」とを比較して、
新しい人気数が生産開始数を超えている場合は、「生産開始の旨」をパーツ情報として記憶し、それ以降パーツ情報にアクセスする顧客端末には、生産開始数を超えた改良パーツについては生産を開始した旨を表示させる処理を行い、
・また、人気数が生産開始数を超えていない場合は、前記新しい人気数と、前記抽出したレベル数とを比較して、
新しい人気数が人気数が生産開始数を超えておらずかつ抽出した「レベル数」を超えたときには、
今回受信した購入希望情報に含まれる顧客が購入を希望する改良パーツより生産予定日が早く、しかもその日が近いものであって生産予定日の日付の早い順のリスト表示のときにひとつ上の位置にくるものを、一つ上のランクの改良パーツとして、この一つ上のランクの改良パーツの生産予定日を抽出し、
今回受信した顧客が購入を希望する改良パーツの生産予定日を、一つ上のランクの改良パーツの生産予定日に変更するとともに、この一つ上のランクの改良パーツの生産予定日を今回受信した顧客が購入を希望する改良パーツの生産予定日と変更することで、互いの生産予定日を入れ替えて、今回受信した顧客が購入を希望する改良パーツを一つ上のランクの改良パーツに対して生産予定日の日付け順のランクを昇順する処理を行うことで、人気数に応じて「レベル数」を用いて生産予定日を変更し、改良パーツのリスト順を変更することを特徴とする。
（ｉｖ）また、前記（ｉｉｉ）の発明の釣具の改良パーツのインターネット受注システムにおいて、
制御手段は、前記新しい人気数と、前記抽出した「生産開始数」とを比較して、
新しい人気数が生産開始数を超えている場合は、「生産開始の旨」をパーツ情報として記憶すると共に、パーツ情報からこの改良パーツの情報を削除するものとしてもよい。
（ｖ）また、前記（ｉｉ）（ｉｉｉ）または（ｉｖ）の発明の釣具の改良パーツのインターネット受注システムにおいて、
レベル数は「％表示」をもって定められ、
生産開始数に％表示のレベル数を乗じた値を、レベル数を超えるための人気数の閾値とし、
人気数が、生産開始数に％表示のレベル数を乗じた値を超えたときに、一つ上のランクの改良パーツの生産予定日と入れ替えて、今回受信した顧客が購入を希望する改良パーツを一つ上のランクの改良パーツに対して生産予定日の日付け順のランクを昇順する処理を行うものとしてもよい。
（ｖｉ）また、前記（ｉｉ）ないし（ｖ）のいずれか記載の発明の釣具の改良パーツのインターネット受注システムにおいて、
一つの改良パーツに第一、第二・・・の複数のレベル数が記憶されているものであって、
サーバ機の制御手段は、
記憶された複数のレベル数のうち値の小さい第一のレベル数を読み込み、
前記第一のレベル数と人気数とを比較して、
Ｃ１人気数が前記第一のレベル数を超えた場合、人気数に超えられた第一のレベル数を消去し、それ以降、読み出されるレベル数は、次番目に小さな第二・・・のレベル数となり、
制御手段は、改良パーツの当該第二・・・の「レベル数」を記憶手段から抽出し、
・新しい人気数と、抽出した「レベル数」とを比較するものとしても良い。
（ｖｉｉ）また、前記（ｉｉｉ）ないし（ｖ）のいずれか記載の発明の釣具の改良パーツのインターネット受注システムにおいて、
サーバ機は、前記新しい人気数と抽出した生産開始数とを比較して、人気数が生産開始数を超えている場合は、生産開始の旨をパーツ情報に記憶させると共に、この改良パーツの裏販売サイトを作成し、その後、裏販売サイトをインターネットに掲載し、裏販売サイトのインターネットの掲載から一定期間後に、この裏販売サイトの検索用のキーワードを、各検索サイトに登録することで、裏販売サイトをインターネット上に公表するものとしても良い。
（ｖｉｉｉ）また、前記（ｖｉｉ）に記載の発明の釣具の改良パーツのインターネット受注システムにおいて、
顧客端末は、パーツ情報の表示において、
購入希望情報の入力を促す手段として、購入意欲が比較的強い場合の「絶対購入」と、購入意欲が比較的弱い場合の「購入希望」との二つからなる購入選択手段を設けてなり、
サーバ機は、購入選択手段における「絶対購入」或いは「購入希望」の入力に応じて以下の処理を行なう
・購入選択手段において「絶対購入」が入力された場合は、改良パーツが生産されて販売が開始されるときに改良パーツを配送する旨の情報をパーツ情報に記憶させる。
・購入選択手段において「購入希望」が入力された場合は、改良パーツの生産時にあわせて、サーバ機が、「裏販売サイト」のＵＲＬを含む電子メールをこの顧客のメールアドレスに送信するものとしてもよい。
【００１４】
（１．システム）
本発明は、顧客が用いる顧客端末と、生産者が用いるサーバ機とがネットワークを介して送受信可能に接続されたシステムであって、
・サーバ機は、各部の制御やデータの配信、演算、データの一次的な格納を行う制御手段、プログラムファイル、パーツ情報ファイル、及び顧客情報ファイルを記憶する記憶手段、入力手段、並びに出力手段から構成され、
・プログラムファイルには、情報の送信、電子メールの送信、「人気数の比較」、改良パーツのリスト表示・リスト順の変更、顧客情報から顧客のメールアドレスを特定し記憶するもの、並びに日付計算の作成・掲載といった処理を行う各実行プログラムが記憶され、
・パーツ情報ファイルには、販売が行なわれる改良パーツの名称や改良パーツの生産を開始する予定日を定めた生産予定日、その人気数を含むパーツ情報が改良パーツ毎に記憶され、
・顧客情報ファイルには、顧客を特定し、改良パーツを配送するために必要な情報が記憶され、
・顧客端末は、サーバ機から受信した「パーツ情報」を表示する手段と、顧客が購入を希望する改良パーツを特定する手段と、特定された改良パーツについての、顧客が購入を希望する改良パーツを特定する情報、購入希望数が含まれる「購入希望情報」と、顧客を特定する顧客情報をサーバ機に送信する手段を有してなり、そして、
・サーバ機が、釣具の改良パーツに関する「パーツ情報」を記憶し、顧客端末からのアクセスに対して、この「パーツ情報」を送信する手段を有し、
・顧客端末は、受信した「パーツ情報」を表示する手段と、顧客が購入を希望する改良パーツを特定する手段とを有し、
かつ、特定された改良パーツについての、顧客が購入を希望する改良パーツを特定する情報、購入希望数が含まれる「購入希望情報」と、顧客を特定する顧客情報とをサーバ機に送信する手段を有してなる。しかして、
・サーバ機は、この「購入希望情報」と「顧客情報」をあわせて受信し、かつ、あわせて受信した「購入希望情報」と「顧客情報」とを対応させて記憶する手段を有する。
これにより、顧客は販売店に出向くことなく、改良パーツの発注をすることができる。また、生産者は「顧客情報」と発注の情報によって、改良パーツの顧客管理、発注状況などの把握が容易に行える。特に、発注の状況を集計することで各改良パーツの需要を予測できるようになる。
「顧客情報」とは、顧客を特定するための情報であり、「購入希望情報」とは、改良パーツの購入を希望する旨を伝える情報をいう（将来購入するか否かは未定）。
【００１５】
（２）  また、この発明は、前記したシステムであって、
・前記「パーツ情報」が改良パーツの生産を開始する予定日を定めた「生産予定情報」を含み、
・顧客端末が、受信した「パーツ情報」を各改良パーツの生産予定順にリスト表示することを特徴とするものである。
【００１６】
前記したシステムでは、顧客は自分が欲しいと思った改良パーツがいつ頃生産され、自分の元に届けられるのか不明である。そこで、この発明は、顧客に、改良パーツの生産予定日を知らせることで、上記不都合を解消することができる。
【００１７】
（３）  また、この発明は前記したシステムであって、
・サーバ機が、前記「パーツ情報」と「購入希望情報」を対応して記憶し、かつ、この「購入希望情報」に基づいて各改良パーツの「人気数」を求め、記憶する手段を有し、
・顧客端末が、受信した「パーツ情報」を、前記「人気数」に基づいて適宜に変更された生産予定順にリスト表示することを特徴とするものである。
【００１８】
このように、「人気数」に基づいて変更された「パーツ情報」のリスト表示により、顧客はどの改良パーツに人気があり、その人気によって生産開始が早まることを知ることができる。そして、どの改良パーツであれば、早く入手できるのか分かるようになる。
【００１９】
（４）また、この発明は、前記したシステムであって、サーバ機が
・「パーツ情報」において、各改良パーツの生産開始の目安となる「生産開始数」を記憶し、
・受信した「購入希望情報」に基づいて各改良パーツの「人気数」を計算し、記憶する手段を有し、
・この「人気数」が前記「生産開始数」を超えたことを条件として、生産者が改良パーツの生産を開始し、
・生産された改良パーツを、前記「顧客情報」に基づいて、生産者が任意の手段で顧客に配送することを特徴とするものである。
【００２０】
生産者は、「人気数」から改良パーツの市場での人気を把握することができ、一定の販売数が見込まれる場合に限って生産することが可能になる。これにより、改良パーツが売れ残るリスクを回避できる。
【００２１】
顧客は、改良パーツを直接自分に配送してもらうことで、販売店に出向くことなく改良パーツを入手することができる。一方、改良パーツが一旦販売店に配送され、販売店から顧客に渡される形態であれば、販売店は改良パーツを仕入れるリスクを回避することができる。
【００２２】
（５．サーバ機）
また、この発明は、インターネットを介して顧客と送受信可能に接続されたサーバ機であって、
・顧客からのアクセスに対して、予め記憶する「パーツ情報」を送信する手段、
・顧客に対して、購入を希望する改良パーツを特定する「購入希望情報」の入力を促す手段、
・顧客端末から送られる「顧客情報」と「購入希望情報」を受信し、かつ、「顧客情報」と「購入希望情報」を対応させて記憶する手段を有することを特徴とするものである。
【００２３】
（６．サーバ機：リスト表示）
更に、この発明は、前記したサーバ機であって、
・前記「パーツ情報」が改良パーツの生産を開始する予定日を定めた「生産予定情報」を含み、かつ、この「パーツ情報」を各改良パーツの生産予定順に顧客端末にリスト表示する手段を有することを特徴とするものである。
【００２４】
この発明により、前記したシステムを実施することができる。ここで、生産予定順に改良パーツを並び替える手段としては、サーバ機及び顧客端末のソート機能を用いて実施可能である。
【００２５】
（７）  更に、この発明は、前記したサーバ機であって、
・前記「パーツ情報」において、各改良パーツの生産開始の目安となる「生産開始数」を記憶し、受信した「購入希望情報」に基づいて各改良パーツの「人気数」を計算し、記憶する手段を有し、
・顧客にこの「生産開始数」と「人気数」を対応して表示する手段を有し、
・この「人気数」が前記「生産開始数」を超えたことを条件として、顧客に対して生産が開始された旨の表示を行う手段を有することを特徴とするものである。
【００２６】
このように、「生産開始数」と「人気数」を対応して顧客に表示することで、顧客はどの程度の人数の申し込みにより、生産が開始されるのかの予想ができる。また、早期に改良パーツを手に入れたいと考える顧客が複数個購入したり、また、友人を購入に誘ったりすることが考えられ、販売促進の効果が得られる。更に、生産者は、人気のある改良パーツから優先的に生産を開始することができ、人気商品の販売時期を逃すことがなくなる。
【００２７】
（８）  更に、この発明は、前記したサーバ機であって、
・前記「パーツ情報」と「購入希望情報」を対応して記憶する手段と、
・「購入希望情報」に基づいて各改良パーツの「人気数」を計算する手段を有し、
・この「パーツ情報」における各改良パーツのリスト順をこの「人気数」に基づいて適宜に変更する手段を有することを特徴とするものである。
【００２８】
この改良パーツのリスト順から、顧客はどの改良パーツから生産が開始されるのか、また、どの改良パーツに人気があるのかを容易に知ることができる。
【００２９】
（９）  更に、この発明は、前記したサーバ機であって、
・各改良パーツの生産開始の目安となる「レベル数」を記憶し、
・前記「人気数」とこの「レベル数」を比較する手段を有し、
・前記「人気数」がこの「レベル数」を超えたことを条件に、顧客端末に表示する「パーツ情報」の改良パーツのリスト順を上位にする手段を有することを特徴とするものである。
【００３０】
（１０）  また、この発明は、前記したサーバ機であって、
・各改良パーツごとに複数の「レベル数」を記憶し、「人気数」がこの「レベル数」を超える毎に、顧客端末に表示する「パーツ情報」の改良パーツのリスト順を上位にする手段を有することを特徴とするものである。
【００３１】
このように、人気の程度にレベルを設け（レベル数）、このレベルを超えることを条件に、リスト順を上位にすることで、生産者は顧客に対して、改良パーツの人気に迅速に対応したリスト順の「パーツ情報」を提供することができる。また、生産者はこのリスト順に生産を開始することで、人気のある改良パーツから生産を開始し、販売できるようになる。
【００３２】
（１１．サーバ機：裏販売サイト）
また、この発明は前記した「パーツ情報」に「生産予定情報」を含むサーバ機であって、
・顧客端末から送られてきた「顧客情報」から顧客のメールアドレスを特定する手段と、毎日の日付を計算する手段を有し、
・  計算される日付が前記「生産予定情報」に含まれる生産予定日となったときに、改良パーツの購入を促す「裏販売サイト」を作成し、かつ、インターネット上に掲載する手段を有し、
・この「裏販売サイト」のＵＲＬを含む電子メールを、改良パーツの生産時にあわせて、この改良パーツの「購入情報」を送信した顧客のメールアドレスに送信する手段を有することを特徴とするものである。
【００３３】
この「裏販売サイト」を用いることで、購入希望情報を送信した顧客だけに改めて販売促進を図ることができ、改良パーツの販売を行うことができる。また、電子メールを用いて「裏販売サイト」のＵＲＬを顧客に送ることで、簡易かつ迅速に案内を伝えることができる。
【００３４】
また、このような改良パーツの生産、販売を行う場合、どの程度生産すべきか問題である。例えば、予想以上に人気の有る商品の場合は、顧客からの注文を受けても次回の生産まで顧客に待ってもらう必要がある。このような事態は顧客の心証を悪くするため、メーカーはできるだけ避けなければならない。
【００３５】
しかし、この発明では、「裏販売サイト」でのみ、販売をすることで、この改良パーツを希望した顧客にのみ販売をすることができる。そして、この顧客の数は、人気数によって予め把握できるものである。
【００３６】
このように、この発明は、インターネットを用いて改良パーツの人気を調べ、その調査結果から改良パーツの適切な生産数を求め、生産された改良パーツを「購入希望情報」を送ってくれた人に対してのみ、販売を行うことで、生産数と顧客の需要数とのバランスを図ることが可能になるものである。
【００３７】
更に、「購入希望情報」を送信する顧客とは、「パーツ情報」を受信した者に限られ、これらは、主として生産者が主催するクラブの会員である。よって、この発明により、生産者はクラブの会員に対して一般顧客より優先的なサービスを提供することが可能になる。
【００３８】
ここで、「裏販売サイト」とは、検索サイトを有するプロバイダーにＵＲＬやキーワードを登録せずに、ＵＲＬを直接入力した人だけがアクセスできるサイトをいう。なお、「サイト」とは「ホームページ」をも含む意味であって、インターネット上でｗｅｂサーバから送信され各ＰＣで受信、表示される画面をいう。また、このサイトの内容は、顧客に対して購入を希望していた改良パーツの販売が開始した旨と、その購入を促すものであればよい。そのサイトの具体例を図６に示す。
・「改良パーツの生産時にあわせて」とは、必ず改良パーツの生産が完了した後である必要は無く、ある程度の生産の目安がついた時点をもって、裏販売サイトを作成する場合をも含むものである。
【００３９】
（１２）  また、この発明は、前記したサーバ機であって、
・顧客端末から送られてきた「顧客情報」から顧客のメールアドレスを特定する手段と、
・「パーツ情報」において、各改良パーツの生産開始の目安となる「生産開始数」を記憶し、受信した「購入希望情報」に基づいて各改良パーツの「人気数」を計算し、記憶する手段を有し、
・前記「人気数」が「生産開始数」を超えたことを条件として、改良パーツの購入を促す「裏販売サイト」を作成し、アクセスしてきた顧客に対して送信する手段を有し、
・この「裏販売サイト」のＵＲＬを含む電子メールを、改良パーツの生産時にあわせて、この改良パーツの「購入情報」を送信した顧客のメールアドレスに送信する手段を有することを特徴とするもの。
【００４０】
これにより、人気のある改良パーツについて優先的に生産を開始することができ、更に、「裏販売サイト」を活用して、販売促進を図ることが可能になる。
【００４１】
（１３）  この発明の実施形態の一つは、裏販売サイトを用いて、生産された改良パーツの販売を非公開に行うことである。しかし、裏販売サイトを知る顧客は、購入希望情報を送ったものに限られるため、その数は少ない。そこで、この裏販売サイトでの販売では完売できなかった場合は、この裏販売サイトをインターネットに公表し、できる限り多くの人に販売の促進を図るのが、在庫を少なくするためには望ましい。
【００４２】
そこで、この発明は、前記したサーバ機であって、
・前記「裏販売サイト」をインターネットに掲載後、一定期間経過した後にインターネット上に公開することを特徴とするものである。
【００４３】
裏販売サイトで売れ残った改良パーツ（在庫）については、インターネットの各種の検索サイトを活用し、幅広い人たちに情報を提供し、販売することが可能になる。これにより、生産した改良パーツの売れ残りを防止することができる。更に、この表のサイトを活用し、パーツ情報による販売を宣伝することができ、このシステムの利用の促進を図ることが可能になる。
【００４４】
（１４）  また、この発明は、前記した「裏販売サイト」に基づく改良パーツの「購入情報」を受信し、かつ、この「購入情報」を前記「顧客情報」対応させて記憶する手段を有することを特徴とするものである。この「購入情報」に基づき、生産者は改良パーツの販売を行うことができる。
【００４５】
（１５．サーバ機：改良パーツの購入者に連絡する）
更に、この発明は、前記したサーバ機であって、
・改良パーツの既購入者のメールアドレスを記憶し、
・生産された改良パーツに関連する改良パーツの既購入者のメールアドレスを読み出す手段を有し、
・「裏販売サイト」のＵＲＬを含む電子メールを前記既購入者のメールアドレスに送信する手段を有することを特徴とするものである。
【００４６】
改良パーツを既に購入している者であれば、新しい改良パーツの購入率が高いと考えられる。よって、この既購入者に対して裏販売サイトを紹介することで、効率的に改良パーツを販売することが可能になる。
【００４７】
（１６．サーバ機：購入方式選択手段）
また、この発明は、前記したサーバ機であって、
・前記「購入希望情報の入力を促す手段」において、「絶対購入」と「購入希望」の購入選択手段を設け、選択された「購入方式」を前記「購入希望情報」に対応して記憶することを特徴とするものである。
【００４８】
顧客には、「購入希望情報」の送信時に、生産された改良パーツを絶対に購入する意思のある者とそうでない者とが混在する。そこで、「絶対購入」と「購入希望」との選択手段を設けることで、これら購入者の意思の程度を生産者は把握することが可能となる。
【００４９】
また、この「絶対購入」と「購入希望」の程度によって、生産数を調整することで売れ残りを防止することができる。例えば、同じ数の「購入希望情報」が集まった改良パーツであっても、絶対購入とする顧客が多い方を多く生産するものである。
【００５０】
更に、絶対購入を選択した顧客に対しては、単なる希望ではなく、購入の申し込みがあったものとして扱い、改良パーツが生産され次第、配送することも可能となる。この場合、顧客は希望する商品を一日でも早くに入手することが可能になる。一方、生産者は迅速な取引が可能になり、また、キャンセルされてしまう事態を回避することが可能になる。
【００５１】
（１７）  また、この発明は、前記したサーバ機であって、
・前記「購入希望情報の入力を促す手段」において、「絶対購入」と「購入希望」の購入選択手段を設け、選択された「購入方式」を前記「購入希望情報」に対応して記憶し、
・改良パーツの生産時にあわせて、「裏販売サイト」のＵＲＬを含む電子メールを「購入希望」を選択した顧客のメールアドレスに送信する手段を有することを特徴とするものである。
【００５２】
これにより、顧客は「改良パーツの発注を促された時」に商品の購入を決定するのではなく、改良パーツが生産され電子メールが届いてから決定すればよい。よって、顧客に購入するか否かの十分な判断期間を提供することができる。
【００５３】
（１８．サーバ機：顧客希望パーツ情報）
また、この発明は、前記したサーバ機であって、
・顧客に、「希望パーツ情報」の入力を促す手段を有し、
・入力された「希望パーツ情報」を記憶し、
・この「希望パーツ情報」を前記「パーツ情報」とともに、顧客端末に表示する手段を有し、かつ、顧客に対してこの「希望パーツ情報」に対する「購入希望情報」の入力を促す手段を有し、
・顧客端末から送られる前記「希望パーツ」の「購入希望情報」を記憶する手段を有することを特徴とするものである。
【００５４】
改良パーツを購入する者には、各パーツについてのアイデアを有している者が多い。しかし、一般の釣り人では、このようなアイデアを具体化（製品化）することはできない。
【００５５】
また、自分のオリジナル用具として、釣具の生産者に特別な仕様書に基づいて製造を依頼することがあった。しかし、このような依頼では生産個数が少なく、一つ当たりの価格が高額になってしまう。また、生産者にとっても少量の生産にとどまるため、例え高額な商品であっても利益を得ることが出来なかった。
【００５６】
この発明では、顧客が望む希望パーツを「パーツ情報」に含め、インタ-ネットを通じて様々な顧客に送信することで、この希望パーツに興味を示す人や購入意思のある人達が購入希望情報を送信する。
【００５７】
よって、生産者はこの購入希望情報の数によって希望パーツの販売予想をすることができ、一定の販売が見込める場合に限って生産することが可能になる。
【００５８】
更に、一定数の生産を行うため、従来の特別仕様の物より低額で販売することができる。一方、希望パーツを提案した者は、自分のアイデアが広く支持されることで、希望するパーツを低額で入手することができる。
【００５９】
（１９）  また、この発明は前記したサーバ機であって、
・顧客端末から送られる「購入希望情報」に基づいて、希望パーツの「人気数」を記憶する手段を有し、
・記憶した希望パーツの「人気数」によって、適宜に希望パーツの価格を変動させる手段を有し、
・この変動後の価格を顧客端末に表示させる手段を有することを特徴とするものである。
【００６０】
このような特別生産品は数多く作れば作るほど一つの製品の製造コストを低減することが可能になる。そこで、受注数に応じて価格を変動させ、この価格を顧客端末に表示することで、購入者の購入意欲を高めることが可能になる。例えば、一つ購入する予定の顧客が二つ購入する。また、友達を購入するように誘うなどである。
【００６１】
（２０．販売方法）
また、この発明は、生産者が顧客に対して行う、インターネットを用いた改良パーツの販売方法であって、以下のステップを含むことを特徴とするものである。
・顧客が、生産者に対して、釣具の改良パーツに関する「パーツ情報」の送信を求めるステップ（Ｓ１）
・生産者が、顧客に対して、前記「パーツ情報」を送信するステップ（Ｓ２）
・顧客が、前記「パーツ情報」を受信、表示するステップ（Ｓ３）
・顧客が、メールアドレスと商品の配送先を特定できる「顧客情報」を送信し、かつ、希望する改良パーツを特定する「購入希望情報」を送信するステップ（Ｓ４）
・生産者は「顧客情報」と「購入希望情報」を受信し、かつ、これらを対応して記憶するステップ（Ｓ５）
・生産者は改良パーツを生産し、かつ、改良パーツの購入を促す「裏販売サイト」を作成するステップ（Ｓ６）
・改良パーツの生産時にあわせて、「裏販売サイト」のＵＲＬを含む電子メールをこの改良パーツの「購入情報」を送信した顧客のメールアドレスに送信するステップ（Ｓ７）
・顧客が、前記ＵＲＬに基づいて「裏販売サイト」にアクセスするステップ（Ｓ８）
・生産者が、「裏販売サイト」を前記顧客に送信するステップ（Ｓ９）
・顧客が、「裏販売サイト」を表示、希望する改良パーツの「購入情報」を送信するステップ（Ｓ１０）
・生産者が、この「購入希望情報」を記憶するステップ（Ｓ１１）
・生産者が「購入情報」に基づいて改良パーツを顧客に任意の手段で配送するステップ（Ｓ１２）
【００６２】
【発明の実施形態】
１．全体構成
この発明におけるインターネットシステム（ネットワークシステム）の構成を図１に示す。図にあるように、この発明は釣具に関するパーツ情報を送信するサーバ機と、パーツ情報に基づいて改良パーツを購入する顧客端末によって構成される。そして、これらの装置はインターネットを介して双方向に情報通信可能に接続されている。
【００６３】
この発明において、サーバ機と顧客端末とは、主としてインターネットを介して通信を行うものであるが、その回線にはＬＡＮ、ＷＡＮといった専用線が用いられる形態であってもよい。更に、この発明におけるインターネット（ネットワーク）は有線を用いる形態に限られず、無線によって情報を送受信する形態も実施の一形態である。
【００６４】
２．各装置の構成
（１）（サーバ機の構成）
次に、サーバ機の構成を図２に示すブロック図を用いて説明する。この図において符号２１は制御手段であり、ＣＰＵやメモリー等から構成され、各部の制御や、データの配信、種々の演算、データの一時的な格納などを行う。符号２２は入力手段であり、インターネットを介して接続された顧客端末から入力されるデータを制御するものである。符号２３は出力手段であり、顧客端末に出力される各種情報を制御するものである。そして、符号２４〜２６は各種の記憶手段であり、それぞれ以下のプログラムやデータ、ファイルが記憶されている。
【００６５】
（記憶手段２４）
記憶手段２４は「プログラムファイル」を記憶する。このファイルのプログラムは制御手段２１において用いられる。記憶されるプログラムとしては、各種の情報を発信・送信するｗｅｂサーバとしての機能を発揮するための各種プログラムのほか、電子メールの送信を行うメールサーバとしてのプログラム、その他、「人気数の比較」、「改良パーツのリスト順の変更」、「裏販売サイトの作成」などである。その他、この発明の実施形態にあわせて、このサーバ機では、次の処理を行うプログラムを記憶していることが望ましい。
▲１▼  顧客端末から送られてきた「顧客情報」から顧客のメールアドレスを特定し、記憶するもの。
▲２▼  毎日の日付を計算し、その日付が一つの改良パーツの生産予定日となったときに、裏販売サイトを作成するもの、更に、その裏販売サイトをインターネット上に掲載するもの。その他、この発明の実施形態である各処理を行うプログラムはそれぞれの実施形態の中で説明する。
【００６６】
（記憶手段２５）
記憶手段２５は「パーツ情報ファイル」を記憶する。このファイルには、この発明で販売が行われる改良パーツの名称やその説明、人気数や生産開始数などが、改良パーツごとに記憶される。このパーツ情報が顧客端末の表示画面に表示された例を図３に示す。図では改良パーツとしてＡ〜Ｄまでを示したものであり、各改良パーツの説明のほか、この改良パーツの生産が始まる目安である生産予定日、価格、人気数、レベル数、生産開始数を表示する。なお、このパーツ情報の構成としては、販売予定日やその他の情報を含む形態で実施可能である。
【００６７】
パーツ情報に記憶される改良パーツは、任意の順番で記憶され、顧客端末に表示される形態でも実施可能である。しかしそれでは、どの改良パーツがより早くに生産が始まり、また、販売が始まるものかの判断ができない。そこで、このパーツ情報に含まれる改良パーツのリスト順としては、生産予定日の順に顧客端末に表示される形態が望ましく、また、生産予定日の順に変更されて記憶されている形態が望ましい。なお、図３では、生産予定の早いものから表示する形態であるが、生産予定の早いものが一番下に位置する形態であっても実施可能である。
【００６８】
更に、顧客が希望するパーツである「希望パーツ情報」も改良パーツと同様に記憶する。
【００６９】
（記憶手段２６）
記憶手段２６は「顧客情報ファイル」を記憶する。このファイルには、顧客名や住所、電話番号など顧客を特定し、改良パーツを配送するために必要な情報を記憶する。更に、顧客に対して裏販売サイトのＵＲＬを電子メールで送信する形態であれば、顧客のメールアドレスを記憶する。
【００７０】
更に、これまでに改良パーツを購入した顧客にも、販売促進を働きかける実施形態であれば、この顧客情報にはこの既購入者のメールアドレスとその者が購入した改良パーツの名称や品番など改良パーツを特定できる情報を対応して記憶する。
【００７１】
（補足説明）
図２では、記憶手段２４〜２６は、別々の構成に記載している。しかし、物理的に独立した記憶装置である必要はなく一つの記憶装置として実施可能である。また、これらの記憶手段はサーバ機と一体である必要はなく、サーバ機から独立した装置であってネットワーク（専用線）を介して各種の情報を送受信する形態であれば、記憶手段とネットワーク（専用線）を含めてこの発明におけるサーバ機である。
【００７２】
（２）（顧客端末の構成）
顧客端末の構成としては、入力装置、制御装置、通信装置、表示装置をもったもので実施が可能であり、各種のコンピュータを用いて実施が可能である。また、サーバ機と通信可能であれば、携帯電話やＰＤＡ（情報携帯端末）を用いても実施可能であり、これらを含めて顧客端末とする。
【００７３】
３．  情報及び改良パーツの流れ
この発明におけるシステムは、釣具の改良パーツを購入したい者（購入者）が用いるものである。図１に示す、利用時のインターネット上の情報の流れと改良パーツの流れを３つのステージに分けて説明する。
【００７４】
(ステージ１)  インターネットを用いた改良パーツの販売時
▲１▼  顧客は顧客端末を用いて、サーバ機にアクセスする。
▲２▼  サーバ機が、顧客端末にパーツ情報を送信する。
▲３▼  パーツ情報を見た顧客が、購入を希望する改良パーツやその数量などを定めた購入希望情報をサーバ機に送信する。
【００７５】
(ステージ２) このシステムの利用者に限定した改良パーツの販売時
▲４▼  サーバ機が、顧客端末に裏販売サイトを送信する。
▲５▼  裏販売サイトを見た顧客が、改良パーツを購入する旨を伝える購入情報をサーバ機に送信する。
【００７６】
（ステージ３）改良パーツの製造後
以上の流れにより、サーバ機に購入希望の旨を伝えた顧客に、任意の配送手段によって生産された改良パーツが届けられる。
【００７７】
４．各ステップの説明
この発明の実施のステップを図４に基づいて説明する。
（ステージ１）
（Ｓ１）  顧客が生産者に対して、釣具の改良パーツに関する「パーツ情報」の送信を求める。具体的には、顧客は顧客端末からサーバ機にアクセスし、パーツ情報を要求する。その際、サーバ機は、会員番号やパスワードを求め、承認された顧客にのみ以下のステップに進める形態であってもよい。
（Ｓ２）  生産者は顧客に対して前記「パーツ情報」を送信する。要求を受け取ったサーバ機は、制御手段２１が記憶手段２５からパーツ情報を読み出し、インターネットを介してパーツ情報を送信する。
【００７８】
（Ｓ３）「パーツ情報」を受信した顧客は、これを顧客端末に表示する。パーツ情報が表示された画面は図３に示すとおりである。図ではＡ〜Ｄの改良パーツを説明、生産予定日、価格を表示する。そして、サーバ機から送られるこのパーツ情報は、購入を希望する改良パーツを特定する「購入希望情報」の入力を促す。図では、「選択」の項目を用いて、顧客に購入を希望する商品行をクリックするように促す。なお、空欄に商品名や品番を入力させる形態のほか、タッチパネルなどを用いて「購入希望情報」を入力する形態であってもよい。
【００７９】
図３では表の左端の「○」をクリックすることとし、特定された改良パーツは「●」として表示する。図ではＢが選択される。これによって、顧客が希望する改良パーツが特定され、購入希望情報が作成される。
【００８０】
また、顧客を特定する必要がある場合は、サーバ機は顧客情報の入力を促す画面を顧客端末に送信する。その画面を図５に示す。顧客は各項目に必要事項を入力する。これにより、顧客情報が作成される。具体的には、顧客の名称や住所、電子メールのメールアドレスである。また、生産された改良パーツの配送先の希望などを受け付ける場合は、配送先の項目を設け記入させる。
【００８１】
なお、二回目以降の顧客などにおいて、送信元の情報（ＩＰアドレスなど）と既に記憶されている顧客情報等から顧客の特定ができる場合は、この顧客情報の作成ステップは不要であり、顧客端末からの前記「購入希望情報」の送信をもって「顧客情報」が送信されたとする。また、顧客端末からのアクセスをもって「顧客情報」の送信とすることも可能である。
【００８２】
また、この実施形態では、サーバ機から送信されるパーツ情報に「生産予定情報」が含まれる。この「生産予定情報」とは、改良パーツの生産が開始される予定日を定めた情報であって、図３では、生産予定情報として「生産予定日」を表示する。そして、顧客端末では、この生産予定日の早い順（生産予定順）に改良パーツをリスト表示する。
【００８３】
サーバ機では、パーツ情報に新しい改良パーツが加えられるたびに、ソート機能を用いて生産予定日順に改良パーツを並び替える。また、改良パーツの生産予定が早まったときなどにも並び替えを行う。これにより、顧客端末はパーツ情報を加工することなく、生産予定順に各改良パーツを表示することが可能となる。また、生産予定日とは無作為に並べられたパーツ情報を受信し、顧客端末が生産予定順にソートし、並び替えてリストする形態でも実施可能である。
【００８４】
（Ｓ４）  顧客は、前記「購入希望情報」を生産者に送信する。その際、顧客は「顧客情報」もあわせて送信する。なお、送信履歴から顧客が特定できる形態であれば、顧客は顧客情報を送信しない。
【００８５】
（Ｓ５）  この「購入希望情報」は、顧客端末からサーバ機の送信され、生産者は、この「顧客情報」と「購入希望情報」を対応させて記憶する。具体的には、サーバ機では、制御手段２１がこれらの情報を対応させて記憶手段２６に記憶する。これにより、生産者がこの情報から、どの顧客がどの改良パーツを望んでいるかを把握することができ、効率的な営業活動ができる。また、各改良パーツの人気の程度を知ることができ、生産する数量の目安とすることもできる。
【００８６】
更に、この発明は、購入希望情報を受信したサーバ機が購入希望情報を集計し、どの改良パーツにどれだけの購入希望情報が集まったのかを計算し、各改良パーツの「人気数」(購入希望情報の数)を求める形態で実施可能である。また、この人気数によって、改良パーツのリスト順を変更し、その生産開始時期を適宜に変動させる。これらの実施形態は後述する。
【００８７】
（ステージ２）
図３に示すように、各改良パーツには生産予定日が定められており、この生産予定日を迎えることで、生産者は改良パーツの生産を始める。そして、生産された改良パーツの販売を行う。この発明の実施形態の一つとしては、ステージ１において購入希望情報を送って来た顧客に対して「裏販売サイト」を用いた販売促進を行う。
【００８８】
（Ｓ６）  生産者は改良パーツを生産し、かつ、改良パーツの購入を促す「裏販売サイト」を作成する。この「裏販売サイト」の具体例を図６に示す。図に示すように、この裏販売サイトでは、顧客が購入希望情報を送信した「改良パーツＢ」の販売がされた旨を知らせ、購入を促す手段として、右上に「  ○  購入する。」の欄を設け、この○をクリックすることで、改良パーツＢの購入を申し込む「購入情報」が、顧客端末からサーバ機へ送信されるものである。
【００８９】
この「裏販売サイト」の作成は、記憶手段２４に記憶される裏販売サイト作成プログラムによって次のステップで行われる。このプログラムには、裏販売サイトの基本書式が記憶されている。そして、作成時には、制御手段２１は記憶手段２５から作成された改良パーツのパーツ名、価格を抽出する。そして、基本書式にこれらを組み入れて裏販売サイトを作成する。そして、このサイトによる販売期限や、販売される個数などの情報もあわせて組み入れて裏販売サイトを作成してもよい。
【００９０】
そして、図６では販売期限を４月末までの２週間とし、販売個数を表示する。この販売個数は、改良パーツの販売にあわせて適宜変更し、実際の在庫数に対応したものが望ましい。
【００９１】
更に、サーバ機では、この裏販売サイトのＵＲＬを作成する。この実施形態では、改良パーツのパーツ名をパラメータとして用いる。具体的に、生産者の公表しているホームページのメインＵＲＬが「  http:// fishing shimano.co.jp / 」の場合、パラメータとして「 partsB 」を用いて裏販売サイトのＵＲＬを「 http:// fishing shimano.co.jp / partsB  」とする。
【００９２】
（Ｓ７）  改良パーツの生産時にあわせて、「裏販売サイト」のＵＲＬを含む電子メールをこの改良パーツの「購入希望情報」を送信した顧客のメールアドレスに送信する。サーバ機では、制御手段２１が生産した改良パーツに対して購入希望情報を送信したすべての顧客のメールアドレスを記憶手段２６から抽出し、一時的に記憶する。そして、前記（Ｓ６）にて作成した裏販売サイトのＵＲＬを含む電子メールを、この抽出したメールアドレス宛てに送信する。
【００９３】
（Ｓ８）  顧客が、前記ＵＲＬに基づいて「裏販売サイト」にアクセスする。前記電子メールを受信した顧客は、顧客端末に表示されたＵＲＬをクリックして、生産者のサーバ機にアクセスし、裏販売サイトの送信を要求する。ＵＲＬをクリックすることでアクセスする形態は、通常のメールソフトに用いられるリンク機能を用いて実施可能である。
【００９４】
（Ｓ９）  生産者が、「裏販売サイト」を前記顧客に送信する。アクセスを受けたサーバ機は、ｗｅｂサーバとしての機能により、インタ-ネット上に裏販売サイトを送信する。
【００９５】
（Ｓ１０）顧客が、「裏販売サイト」を表示、希望する改良パーツの「購入情報」を送信する。顧客の顧客端末は、裏販売サイトを受信し、それを表示する(表示した画面は図６参照)。これにより、顧客は、以前に購入希望した改良パーツＢの販売が始まったこと、その価格、販売される数量などを知ることが可能となる。
そして、改良パーツＢを購入する場合は、「  ○  購入する  」をクリックし、その旨を確認後「申し込む」をクリックして、購入することを伝える「購入情報」をサーバ機に送信する。
【００９６】
（Ｓ１１）生産者はこの「購入情報」を記憶する。前記購入情報を受信したサーバ機は、制御手段２１が送信先の情報に基づいて記憶手段２６から顧客を特定し、それを顧客情報とする。そして、この顧客情報と顧客が「購入する」を選択した情報（購入情報）とを対応させて記憶する。
【００９７】
この発明では、裏販売サイトの内容を直接電子メールで送信するのではなく、ＵＲＬを紹介し、これにより購入意欲のある顧客には、このＵＲＬから裏販売サイトにアクセスしてもらうものである。これにより、生産者はアクセスしてきた顧客に対して、改良パーツの販売促進を図るだけでなく、この裏販売サイトを通じてその他の情報、その他のサイトの紹介が可能になる。更に、生産者は、このシステムを利用してくれた顧客には一般客とは異なるサービスを提供できることとなり、これらの顧客の顧客満足度を高めることも可能となる。
【００９８】
（Ｓ１２）生産者が「購入情報」に基づいて改良パーツを顧客に任意の手段で配送する。記憶手段２６には、どの顧客がどの改良パーツについての購入情報を送信してきたのかが記憶されている。更に、顧客の住所など改良パーツの配送先も特定できる。そこで、この顧客情報に基づいて、生産者は改良パーツを任意の手段で配送する。なお、任意の配送手段としては、郵送は宅配便などであり、また、最寄りの釣具店に顧客が取りに行く形態で実施可能である。なお、その場合は、配送先を顧客情報として記憶手段２６に予め記憶させておく。
【００９９】
５．（その他の実施形態）
（１）  人気数によるランクの入れ替え
上記した実施形態は、原則として、日時が各改良パーツの生産予定日に達したときに生産を始める。そして、この生産予定日は、生産者が各改良パーツの人気の程度などを予測して決めたものである。図３に示すパーツ情報は、生産の開始される早いものを上位に改良パーツをリスト表示したものである。
【０１００】
しかし、予想を越えて人気の集まった改良パーツについては、その人気数に応じて適宜に生産予定を早めることが、早く改良パーツを欲しいとする顧客の要求に応えることとなる。そこで、この発明では、人気数に応じて生産時期を適宜に変更し、改良パーツのリスト順を変更する下記形態で実施することができる。
【０１０１】
この実施の流れを図７と図３に基づいて説明する。図７はサーバ機における処理の流れである。
（Ｓ７１）  サーバ機が顧客端末からある改良パーツについての購入希望情報を受信する。この実施形態では改良パーツＢの購入を希望する。
（Ｓ７２）  制御手段２１では、購入希望情報が送られてきた改良パーツＢのこれまでの人気数を記憶手段２５から抽出する。
【０１０２】
（Ｓ７３）  制御手段２１は、抽出した人気数を一つ増やし(インクリメント)、その値を新しい人気数として記憶する。なお、一つの購入希望情報であっても、二つ以上の購入を希望するものであれば、その購入希望数だけ人気数を増加させる。
【０１０３】
（Ｓ７４）  制御手段２１は、一つ上のランクの改良パーツの人気数を記憶手段２５から抽出する。ここで一つ上のランクの改良パーツとは、改良パーツＢより生産予定日が早く、しかも、その日が最も近いものをいい、図３では、改良パーツＡが該当する。
【０１０４】
（Ｓ７５）  制御手段２１では、改良パーツＢと改良パーツＡの人気数を比較する。そして、改良パーツＢの人気数が改良パーツＡの人気数を超えているときには、改良パーツＢを昇順する（Ｓ７７）。そして、改良パーツＢの生産予定日を改良パーツＡの生産予定日であって「０２／１月」とする。一方、降順する改良パーツＡはその生産予定日がこれまで改良パーツＢの予定日だった「０２／２月」とする。これにより、市場の人気に応じて適宜に生産予定日を変更することが可能になり、生産者はこれまでのような厳密な市場調査が不要となる。
【０１０５】
（Ｓ７７）  改良パーツＢの人気数が改良パーツＡを超えていない場合は、リスト順はそのままである。なお、人気数の超えているか否か判断は、両人気数が同数であれば、下位の改良パーツが超えたと判断する形態や、同数では超えていないとする判断のどちらでも実施可能である。
【０１０６】
以上のように、パーツ情報における改良パーツのリスト順は、人気数に応じて適宜に変更される。そして、この変更されたパーツ情報を受信することで、顧客端末は、人気数に応じて適宜に変更された生産予定順に改良パーツをリスト表示する。
【０１０７】
（２）  生産開始数との比較
また、大量の人気数が集まれば、前述した生産予定日を早める形態ではなく、即生産を始めてもよい。大量の人気数を獲得した改良パーツであれば、一定の販売数が見込めるため、在庫となるおそれが少ないと考えられるからである。この実施形態では、パーツ情報に生産開始の目安の人気数である「生産開始数」を含ませる。この生産開始数の値は生産者が設定し、記憶手段２４に記憶させる。
【０１０８】
そして、サーバ機が購入希望情報を受信した後の処理は、前述した「人気数によるランクの入れ替え」とほぼ同様である。
（Ｓ７４ａ）  ステップ７４ａで、制御手段２１は改良パーツの生産開始数を記憶手段２４から抽出する。
（Ｓ７５）では、人気数と抽出した生産開始数とを比較し、人気数が超えている場合は、ステップ７７ａに進み、「生産開始の旨」をパーツ情報に記憶させる。また、生産が開始されたとして、パーツ情報からこの改良パーツの情報を削除してもよい。そして、それ以降パーツ情報にアクセスする顧客端末には、生産開始数を超えた改良パーツについては、生産を開始した旨を表示させる。
【０１０９】
（その後のステップ）  生産者は、ある改良パーツの人気数が生産開始数を超えた場合は、予定を早めて生産を開始し、生産後、この顧客に対して任意の手段で改良パーツを配送し、販売を行う。また、この改良パーツに購入希望情報を送ってくれた顧客に前記した裏販売サイトのＵＲＬを含む電子メールを送信し、購入するか否かの確認をとることも可能である。
【０１１０】
（３）  レベル数による並び替え
また、この発明では、人気の有る改良パーツの生産予定を適宜に早める実施形態として、「レベル数」を用いて実施することが可能である。
【０１１１】
ここで、「レベル数」と「生産開始数」とは共に生産開始の目安になる人気の程度を示す値である。しかし、レベル数は生産日を早める目安であるのに対して、生産開始数はこの数を超えると即生産を開始する目安である点で両者は異なる。
【０１１２】
この「レベル数」と「生産開始数」は、改良パーツごとに個々に定められていても良いし、また、すべての改良パーツに対して統一して定められていても良い。
【０１１３】
「レベル数」、「生産開始数」の例を図３を用いて説明する。
・改良パーツＡでは「レベル数」が５０、「生産開始数」が１００と定められている。よって、人気数が５０を超えたときに、生産予定日を早め、人気数が１００を超えたときには、生産予定日である「０２／１月」より早い時期に生産を開始するものである。
・改良パーツＢでは「レベル数」が４００／６００と定められている。このように、このレベル数は一つの改良パーツに対して複数設定されていてもよい。そして、レベル数を超えることで、生産時期を一ヶ月ごと早くしてもよいし、また、一つ前の改良パーツの生産予定日と入れ替わる形態でもよい。図３であれば、改良パーツＣの人気数がレベル数を超えたときに、改良パーツＢとその順番を入れ替わる形態である。
・改良パーツＣでは、「レベル数」として５０％と定められ、「生産開始数」として５００が定められている。このように、レベル数は生産開始数の「％表示」をもって定めてもよい。図３では、生産開始数５００の５０％である２５０がレベル数を超えるための人気数である。このレベル数と生産開始数とは、原則として、それぞれ単独で実施することが可能である。但し、前改良パーツＣで説明した「％表示」のレベル数の実施形態においては、双方用いる必要がある。
【０１１４】
この「レベル数」と「生産開始数」を用いて、改良パーツのリスト順を適宜に変更する処理を図８に基づいて説明する。
（Ｓ８１）  サーバ機は、顧客端末からの購入希望情報を受信し、記憶する。
（Ｓ８２）  人気数を計算するステップは、上記した（Ｓ７１）〜（Ｓ７３）と同じ処理であり、購入希望情報が届いた改良パーツの人気数を一つ増加させる。
（Ｓ８３）  制御手段２１が、記憶手段２５から、この改良パーツの「生産開始数」と「レベル数」を抽出し、記憶する。
（Ｓ８４）  制御手段２１は、前記計算した人気数と生産開始数を比較し、人気数が生産開始数を超えているか否かを判断する。
（Ｓ８５）  超えている場合は、（Ｓ７７ａ）と同様に、生産開始の旨をパーツ情報に記憶させる。また、制御手段２１では、この改良パーツの裏販売サイトを作成する（Ｓ６）。そして、その後は、裏販売サイトを用いた処理へ進む（Ｓ７）。
（Ｓ８６）  一方、人気数が生産開始数を超えていない場合、制御手段２１は人気数とレベル数を比較し、人気数がレベル数を超えているのか否かを判断する。
（Ｓ８７）  超えている場合は、改良パーツのランクをアップする。その形態としては、リストにおける上位の改良パーツと順位を入れ替える。また、生産開始予定日を一ヶ月早める形態でも実施可能である。
（Ｓ８８）  人気数がレベル数を超えていない場合は、リストの並び替えは行わず、処理が終了する。
【０１１５】
（その他のステップ）
一つの改良パーツに複数のレベル数が記憶されている場合、サーバ機は次の用に処理を行う。ここで、一つの改良パーツに複数のレベル数が記憶されている場合とは、図３における改良パーツＢのように、４００と６００の二つのレベル数が設定されている場合をいう（同様に改良パーツD）。
【０１１６】
そこで、複数のレベル数が記憶されている場合の処理を説明する。
▲１▼  レベル数を読み込む際、制御手段２１は必ず数の小さいベル数を読み込む。
▲２▼  人気数と比較をし、人気数に超えられたレベル数は消去する。
▲３▼  超えられたレベル数を消去することで、それ以降、読み出されるレベル数は二番目に小さなレベル数となる。この処理を行うことで、サーバ機は複数のレベル数が記憶されている場合にも、上記した改良パーツのランクアップの処理が可能となる。
【０１１７】
（４）  裏販売サイトの公表
既に説明したように、裏販売サイトで完売できなかった場合は、この裏販売サイトをインターネットに公表する。ここで、インターネットに公表するとは、各検索サイトでの検索にヒットするように、各検索サイトに検索用のキーワードを登録することである。
【０１１８】
そして、この公表は裏販売サイトのインターネットの掲載後、一定期間後に行うが、この期間は改良パーツの売れ行きなどにより適宜に決めればよい。なお、あまりに裏販売サイトを存続させていても、いわゆる「ロボット検索方式」の検索サイトには登録されてしまうので、この裏販売サイトの公表までの期間は、2週間から２ヶ月程度の範囲が望ましい。
【０１１９】
インターネットへの掲載とは、顧客がインターネットを介してサーバ機にアクセスし、この裏販売サイトを読み出せるようになることをいう。また、インターネット上に公表する形態としては、前記したメインＵＲＬのサイトにこの裏販売サイトへのリンクを貼る形態でも実施可能である。
【０１２０】
（５）（購入方式の選択）
この発明は、図３、４で説明したように、パーツ情報を見た顧客が、購入を希望する改良パーツを特定し、それを購入希望情報としてサーバ機に送信する。その際、顧客の購入意欲の程度を調べるために、この発明では、「購入希望情報の入力を促す手段」として、「絶対購入」と「購入希望」の購入選択手段を設ける形態で実施することができる。
【０１２１】
この購入選択手段を図３に示す。図３の中央に示すように、パーツ情報を表示する表示画面の中央に、「絶対購入」と「購入希望」の二つのブロックを設ける。このブロックはその上をクリックすることで購入方式を選択できるものである。そして、パーツ情報には上記した購入方式の選択が可能となるようなプログラムを組み込んでおく。
【０１２２】
サーバ機は、この図３に示す画面を用いて、顧客に対して購入方式の選択を促す。そして、顧客が購入方式を選択したときは、購入希望情報と共にこの購入方式を受信し、制御手段２１では、両者を対応させて記憶手段２６に記憶させる。
▲１▼  この実施の形態において、「絶対購入」を選択した顧客は購入意欲が強く、裏販売サイトを紹介する必要はない。そこで、改良パーツが生産され、販売が開始されるとき(販売前でも実施可能である)、改良パーツを配送する(図４に示すＳ１２へ)。
▲２▼  一方、「購入希望」を選択した顧客は、購入意欲が低く、このような顧客には裏販売サイトを用いて、商品のアピールのほか、購入するのか否かを確認する必要がある。そこで、改良パーツの生産時にあわせて(販売時期の予定が決まったときなども含む)、サーバ機は、「裏販売サイト」のＵＲＬを含む電子メールをこの顧客のメールアドレスに送信する（図４に示すＳ７へ）。その後の処理は図４に示すとおりである。
【０１２３】
（６）希望パーツ
（６−１）
また、この発明は、顧客が望む改良パーツに関する要求を受けて、これを改良パーツの一つとしてパーツ情報に含ませる形態でも実施可能である。その実施形態を図３に基づいて説明する。
【０１２４】
サーバ機は、図３に示すようにパーツ情報に「希望パーツ情報の入力」の欄を設け、顧客に対して「希望パーツ情報」の入力を促す。図３では、「希望パーツ(名称)」と「その説明」の項目の入力を促す。希望のある顧客は、この欄に従って、名称と説明を記入する。ここで、希望パーツの説明としては次のようなものが挙げられる。
▲１▼  構造に関するものとして、「○○の部分がチタン仕上げの○○パーツ」
▲２▼  材料に関するものとして、「ステンレス製の○○パーツ」
▲３▼  機能に関するものとしては、「耐久性は低下してもよいので、重量○○○ｇ以下の○○パーツ」
更に、顧客に価格や、生産(販売)予定日の希望がある場合は、それらの入力も促す。顧客は、これらの希望パーツ情報を、顧客端末からサーバ機に送信する。サーバ機では、制御手段２１がこの希望パーツ情報を記憶手段２５に記憶する。その記憶する構成は、改良パーツと同様である。
【０１２５】
そして、生産者は、希望パーツ情報のうち、改良パーツには設定されているレベル数や生産開始数をサーバ機の入力手段２２を用いて入力する。また、顧客が入力した価格や生産予定日が不適切であれば、書き換える。以上の処理より、希望パーツに関する諸情報を前記改良パーツと同様にして、この希望パーツを改良パーツのリストに加える。
【０１２６】
その後、顧客からアクセスがあると、サーバ機はこの希望パーツ情報をパーツ情報とともに顧客端末に表示し、改良パーツと同様に、この希望パーツの購入希望情報の入力を促す。
【０１２７】
（６−２）価格変動
また、この「希望パーツ情報」を用いる実施形態においては、サーバ機が、顧客端末から送られる「購入希望情報」に基づいて、希望パーツの「人気数」を記憶する手段を有し、記憶した希望パーツの「人気数」によって、適宜に希望パーツの価格を変動させる手段を有し、この変動後の価格を顧客端末に表示させる手段を有する形態で実施することができる。
【０１２８】
ここで、希望パーツの「人気数」を記憶する手段としては、これまで説明してきた改良パーツの人気数を記憶する手段と同様であり、制御手段２１が購入希望情報を受信した際に、この購入希望情報によって特定される改良パーツの人気数をインクリメントする手段で実施可能である。
【０１２９】
次に、記憶した希望パーツの「人気数」によって、適宜に希望パーツの価格を変動させる手段とは、図９に示すサーバ機が行う処理を実行する手段をいう。
【０１３０】
この実施形態は、（６−１）で説明した希望パーツ情報が既にサーバ機に送信され、記憶手段２５に記憶された状態での実施である。
（Ｓ９１）  サーバ機が購入希望情報を受信する。この購入希望情報は希望パーツに関するものである。
（Ｓ９２）  制御手段２１は、この購入希望情報により特定される希望パーツの人気数、価格、レベル数を記憶手段２５から抽出する。
（Ｓ９３）  制御手段２１は、人気数を一つ増し（インクリメントし）、記憶する。
（Ｓ９４）  制御手段２１は、インクリメント後の人気数と抽出したレベル数とを比較する。人気数がレベル数を超えているか否かの判断を行う。
（Ｓ９５）  人気数がレベル数を超えているときは、この希望パーツは人気があり、ある程度の需要が見込めるとして価格の割引を行う。
【０１３１】
割引の形態としては、次のものがある。
▲１▼  すべての希望パーツに一律の割引率を設定する形態である。また、一律の割引額を設定する形態である。
▲２▼  希望パーツごとに、レベル数を超えたときの割引率（割引額）を定めておき、その分の割引を行う形態である。
▲３▼  希望パーツに複数のレベル数が設定されている場合、一つのレベル数を超える毎に、一定の割引を行う。例えば、人気数が１００を超えるごとに価格を１０％割り引く形態である。この実施形態は、希望パーツ情報に複数のレベル数を設定し、人気数がそのレベル数を超えるごとに、価格の割引を行う手段を有する形態である。
【０１３２】
この割引のステップ９５では、処理手段２１が価格から割引率（割引額）を削除し、削除後（変動後）の価格を新しい価格として記憶手段２５に記憶する。
【０１３３】
そして、次に顧客端末にパーツ情報を送信する際には、この削除後（変動後）の価格を含むパーツ情報を送信し、顧客端末に表示させる。
（Ｓ９６）  人気数がレベル数を超えていないときは、価格の割引を行わず処理を終了する。
【図面の簡単な説明】
【図１】    この発明のシステム構成図
【図２】    サーバ機のブロック図
【図３】    パーツ情報の画面例
【図４】    販売ステップのチャート図
【図５】    顧客情報の入力を促す画面例
【図６】    裏販売サイト例
【図７】    改良パーツのリスト順変更ステップのチャート図
【図８】    リスト順変更ステップのチャート図その２
【図９】    価格割引ステップのチャート図
【図１】
0004182388.tif 000002
【図２】
0004182388.tif 000003
【図３】
0004182388.tif 000004
【図４】
0004182388.tif 000005
【図５】
0004182388.tif 000006
【図６】
0004182388.tif 000007
【図７】
0004182388.tif 000008
【図８】
0004182388.tif 000009
【図９】
0004182388.tif 000010